(57)【要約】【課題】  簡単な構成で回転清掃体に絡み付いた塵埃を容易に取り除くことができる電気掃除機を提供する。【解決手段】  電動送風機及び集塵部を有する掃除機本体と、被清掃面に対面する開口部を有し前記集塵部に連通する吸口体とを備え、前記吸口体内には、該吸口体内で回転可能であると共に、該吸口体から着脱自在に設けられた回転清掃体を備えた電気掃除機であって、前記回転清掃体に付いた塵埃を除去する塵埃除去手段を設け、該塵埃除去手段を前記掃除機本体、あるいは前記吸口体に着脱自在に設けた。【選択図】図１
2008259718.tif 000002
【特許請求の範囲】
【請求項１】
電動送風機及び集塵部を有する掃除機本体と、被清掃面に対面する開口部を有し前記集塵部に連通する吸口体とを備え、前記吸口体内には、該吸口体内で回転可能であると共に、該吸口体から着脱自在に設けられた回転清掃体を備えた電気掃除機であって、
前記回転清掃体に付いた塵埃を除去する塵埃除去手段を設け、該塵埃除去手段は前記掃除機本体、あるいは前記吸口体に着脱自在に設けられていることを特徴とする電気掃除機。
【請求項２】
請求項１において、
前記塵埃除去手段は前記吸口体の継手部に設けたことを特徴とする電気掃除機。
【請求項３】
電動送風機及び集塵部を有する掃除機本体と、被清掃面に対面する開口部を有し前記集塵部に連通する吸口体とを備え、前記吸口体内には、該吸口体内で回転可能であると共に、該吸口体から着脱自在に設けられた回転清掃体を備えた電気掃除機であって、
前記回転清掃体に付いた塵埃を除去する塵埃除去手段を設け、該塵埃除去手段は前記回転清掃体を着脱する軸受押さえ部材に設けられていることを特徴とする電気掃除機。
【請求項４】
電動送風機及び集塵部を有する掃除機本体と、被清掃面に対面する開口部を有し前記集塵部に連通する吸口体とを備え、前記吸口体内には、該吸口体内で回転可能であると共に、該吸口体から着脱自在に設けられた回転清掃体を備えた電気掃除機であって、
前記回転清掃体に付いた塵埃を除去する塵埃除去手段を設け、該塵埃除去手段は前記回転清掃体に設けられていることを特徴とする電気掃除機。
【請求項５】
請求項４において、
前記塵埃除去手段は前記回転清掃体の軸方向に摺動可能としたことを特徴とする電気掃除機。
【請求項６】
請求項４又は５において、
前記塵埃除去手段をリング状に形成され、該リングの内表面から軸中心に向かってカッターを設けたことを特徴とする電気掃除機。
【発明の詳細な説明】
【技術分野】
【０００１】
本発明は、電気掃除機に関する。
【背景技術】
【０００２】
従来の吸口体に設けられた回転清掃体は、一般的に回転体の外周に刷毛やブレードなどの清掃部材を設け、電動機あるいは空気流等で回転し、被掃除面からごみや塵埃を掻き出している。
【０００３】
回転清掃体は、糸くずなどの繊維状のものや、髪の毛等が絡み付き易く、一旦絡み付くとこの種の塵埃は回転により徐々に蓄積され、清掃部材を固定する筒状基体に締め付けられようになる。
【０００４】
これを除去するために、はさみやカッターを持ち出して、絡み付いた塵埃を切断して取り除いていた。
【０００５】
また、従来の電気掃除機の吸口体として、例えば特許文献１（特開平５−９５８６８号公報）のようなものが提案されている。この特許文献１では、吸口体にモータで駆動される回転ブラシ２を設け、吸口体の前部に回転ブラシ４（回転清掃体）に向かって突出したカッター６を設けている。回転ブラシ２の外周には螺旋状のガイド溝５が形成され、カッター６はこのガイド溝５に先端部を嵌合させ、カッター６を動かす摺動部１１を左方向に移動させると共に、回転ブラシ２を回転させながら塵埃を切断する。そして、通常の絨毯等の掃除を行う際には、カッター６はベルト室のスペースに設けられた収納部８に収納されている。
【０００６】
【特許文献１】特開平５−９５８６８号公報
【発明の開示】
【発明が解決しようとする課題】
【０００７】
上記従来の手法では、はさみやカッターを持ち出す手間が増えるので、面倒であり少しの絡み付き程度では放置されていた。この放置が繰り返されると、絡み付いた塵埃が清掃部材を覆って棒状になってしまい、被掃除面のごみを掻きとれなくなっていた。
【０００８】
さらに、棒状に締め付けられているので、はさみやカッターの刃が入りにくく、容易に除去できないという不具合が生じていた。
【０００９】
これを解決するために特許文献１のような技術が提案されているが、回転ブラシ２はベルトを介してモータに接続されているので、モータの停止状態において回転ブラシ２を手で回すのには強い力が必要である。このため、カッター６を回転ブラシ２のガイド溝５に沿って左方向に移動させ、かつ回転ブラシ２を回転させながら塵埃を切断するといった動作にも強い力が必要であり、容易に塵埃の切断ができないものであった。また、回転ブラシ２は吸口体から取り外す構造となっていないので、回転ブラシ２を吸口体から取り外して塵埃の切断を行うことができないものであった。
【００１０】
さらに、通常絨毯等の掃除を行う際には、カッター６は収納部８に収納されているが、掃除中吸口体は前後方向あるいは左右方向といったように様々な方向に動くので、この動きによって摺動部１１が左方向に動き、掃除中においてカッター６と回転ブラシ２が接触する虞がある。そして、カッター６と回転ブラシ２が接触した場合、カッター６の歯が破損する可能性がある。
【００１１】
本発明の目的は上記課題を解決し、簡単な構成で回転清掃体に絡み付いた塵埃を容易に取り除くことができる電気掃除機を提供することにある。
【課題を解決するための手段】
【００１２】
上記目的を達成するために本発明の特徴とするところは、電動送風機及び集塵部を有する掃除機本体と、被清掃面に対面する開口部を有し前記集塵部に連通する吸口体とを備え、前記吸口体内には、該吸口体内で回転可能であると共に、該吸口体から着脱自在に設けられた回転清掃体を備えた電気掃除機であって、前記回転清掃体に付いた塵埃を除去する塵埃除去手段を設け、該塵埃除去手段は前記掃除機本体、あるいは前記吸口体に着脱自在に設けられていることにある。
【００１３】
また、本発明の特徴とするところは、電動送風機及び集塵部を有する掃除機本体と、被清掃面に対面する開口部を有し前記集塵部に連通する吸口体とを備え、前記吸口体内には、該吸口体内で回転可能であると共に、該吸口体から着脱自在に設けられた回転清掃体を備えた電気掃除機であって、前記回転清掃体に付いた塵埃を除去する塵埃除去手段を設け、該塵埃除去手段は前記回転清掃体を着脱する軸受押さえ部材に設けられていることにある。
【００１４】
さらに、本発明の特徴とするところは、電動送風機及び集塵部を有する掃除機本体と、被清掃面に対面する開口部を有し前記集塵部に連通する吸口体とを備え、前記吸口体内には、該吸口体内で回転可能であると共に、該吸口体から着脱自在に設けられた回転清掃体を備えた電気掃除機であって、前記回転清掃体に付いた塵埃を除去する塵埃除去手段を設け、該塵埃除去手段は前記回転清掃体に設けられていることにある。
【発明の効果】
【００１５】
本発明によれば、簡単な構成で回転清掃体に絡み付いた塵埃を容易に取り除くことができる電気掃除機を提供することができる。
【発明を実施するための最良の形態】
【００１６】
以下本発明の一実施例を図面を参照し説明する。
【実施例１】
【００１７】
図１に本発明の一実施例に係る吸口体の分解斜視図を示す。図１において、１０１は吸口体下ケース、１０４は該吸口体内で回転可能であると共に、吸口体から着脱自在に設けられた回転清掃体、１０５は回転清掃体１０４を駆動するための電動機、１０７は吸口体を持ち上げたときに自動的に回転停止するための安全スイッチ、１０８は電動機側プーリー、１０９は電動機側プーリー１０８とベルトを介して接続され、減速プーリーを構成する大プーリー、１１０は減速プーリーを構成する小プーリー、１１１は大プーリー１０９と小プーリー１１０を連結するシャフトである。
【００１８】
電動機１０５によって発生された駆動力を大プーリー１０９と小プーリー１１０を連結するシャフト１１１を介して回転清掃体１０４の回転軸端部に伝達する伝達機構を(手段)を構成している。
【００１９】
１０２は吸口本体内部と外部（掃除機本体）とを連通する空気通路が形成された自在継手のうち吸口本体に対して上下方向に回動可能な第１の接続管、１０３は自在継手のうち前記第１の接続管に対して左右方向に回動可能な第２の接続管である。
【００２０】
第２の接続管には、回転清掃体１０４に絡み付いた塵埃を取り除く、塵埃除去手段120が収納部１２１に着脱自在に収納されている。本実施例では、塵埃除去手段１２０の先端にカッター刃を備えている。
【００２１】
図１において、回転清掃体１０４の回転軸に沿う方向を軸方向と呼び、吸口体の左右方向、すなわち吸口体の長手方向と一致する。また、吸口体の上下方向に関しては、吸口体を水平な床面上に置いた状態で、開口１１８が形成された側を下面側、反対側を上面側と呼ぶ。また、吸口の進行方向側を前方側、後退方向側を後方側として説明する。
【００２２】
図２に本実施例による電気掃除機の外観図を示す。２０１は後部に吸口本体が集塵するのに必要な吸気風を発生させる電動送風機（図示せず）を内蔵し、前部には塵埃を集塵する集塵室（図示せず）を内蔵した掃除機本体、２０２は掃除機本体２０１に接続され、柔軟に可動するように形成されたホース体、２０３は前記ホース体２０２に接続されて前記掃除機本体２０１や吸口本体２０６を制御する手元スイッチ２０４を内蔵し、ホース体
２０２と延長管２０５と連通する流路（図示せず）を持つハンドルグリップである。また、ホース体２０２とハンドルグリップ２０３及び延長管２０５には、吸口本体２０６に電気を供給する給電線（図示せず）が内蔵されている。
【００２３】
図３に本実施例による吸口本体２０６を下から見たときの平面（下面図）を示す。118は吸口体下ケース１０１に設けられた床面開口部で、被清掃面に面する。３０１は吸口本体の外周に設けられたバンパー、３００は被清掃面を拭く機能を有する固定刷毛、３０２は吸口体の前後方向の移動に合わせて回転する前方車輪、３０３は吸口体の前後方向の移動に合わせて回転する後方車輪である。１０７は吸口体を持ち上げたときに自動的に停止するための安全スイッチであり、１０７ａは被清掃面に設置されているか否かを検出するための床面検出車輪である。３０４は回転清掃体１０４の一方の端部を支持する軸受押さえ部材であり、３０５は軸受押さえ部材３０４に回転可能に保持され、且つ、軸受押さえ部材３０４を吸口本体の下ケース１０１に着脱可能に保持させるロック部材である。回転清掃体１０４を取り外す場合には、まず、ロック部材３０５を回転させて軸受押さえ部材３０４と下ケース１０１との係合状態を解除し、軸受押さえ部材３０４を下ケース１０１から取り外す。軸受押さえ部材３０４が下ケース１０１から取り外されると、回転清掃体１０４の端部が開放され、回転清掃体１０４を吸口本体から取り外すことができる。
【００２４】
回転清掃体１０４の清掃部材３０７，３０８は、繊維等による刷毛の他、軟質のブレード状のものを用いて構成することができ、刷毛やブレードをそれぞれ単独で、或いは刷毛とブレードとを混在させて構成することができる。また、筒状基体３０６を形成する部材で一体に成形した突出部で清掃部材を構成してもよい。いずれにしても、清掃部材は筒状基体３０６の外周面から外方に突出するように構成される。
【００２５】
次に本実施例の動作を説明する。掃除機使用者がハンドルグリップ２０３に設置されたスイッチ操作部２０４を操作すると、操作されたスイッチに従った動作モードで掃除機本体２０１内の電動送風機が運転する。電動送風機によって発生した吸引力は、ホース体
２０２，延長管２０５を通って吸口本体２０６に到達する。それと同時に、ホース体202および延長管２０５に設けられた電源線から供給された電源が、回路基板１０６を介して電動機１０５を駆動する。
【００２６】
電動機１０５とプーリ，ベルトで連結している回転清掃体１０４が回転することにより、回転清掃体１０４の清掃部材である刷毛やブレードによって被掃除面からごみや塵埃を掻き出して吸い込んでいる。
【００２７】
回転清掃体１０４の清掃部材３０７は、糸くずなどの繊維状のものや、髪の毛等が絡み付き易く、一旦絡み付くとこの種の塵埃は回転により徐々に蓄積され、清掃部材を固定する筒状基体に締め付けられようになる。
【００２８】
掃除終了後、前記回転清掃体１０４の清掃部材３０７に絡んだ糸くずなどの繊維状のものや、髪の毛等を取り除く時には、使用者がスイッチ操作部２０４により、電源を遮断し、吸口本体２０６に収納されている塵埃除去手段１２０を収納部１２１から取り出し、塵埃除去手段１２０の先端に備えたカッター刃を当てて、絡んだ糸状の塵埃を切断することができる。この際、上述したように下ケース１０１から軸受押さえ部材３０４を取り外し、回転清掃体１０４を吸口体から取り外した状態で回転清掃体１０４に絡んだ糸状の塵埃を切断するようにすると、糸状の塵埃の切断にあたり電動機１０５等の駆動手段と接続された回転清掃体１０４を回す必要がなく、作業性が向上する。
【００２９】
以上のように本実施例によれば、従来、はさみやカッターを持ち出していたが、その手間が省け、なかなか面倒で億劫になりがちであった少々の絡み付いた塵埃でも容易に除去作業ができる。また、糸状の塵埃が絡み付いても回転清掃体の長手方向全てに絡み付くわけではなく、部分的に絡み付くことが多い。従って、塵埃除去手段をその部分に用いるだけで済むので短時間で除去作業が終了する。
【００３０】
それに伴い、絡み付いた塵埃が清掃部材に蓄積して、清掃部材が倒れたままになることがなく、本来の回転清掃体のかき上げ効果を損なうことがない。
【００３１】
除去作業後は、塵埃除去手段１２０を収納部１２１に戻せばよいので、紛失や散逸を妨げることができる。そして、切断作業は、回転清掃体１０４を吸口本体２０６から外して行うとより一層作業し易くなる。
【００３２】
本実施例では、塵埃除去手段１２０の先端に金属等で形成されたカッター刃を備えているが、図４に示すように、塵埃除去手段１２５全体をプラスチック材で構成し、さらに切断部１２５ａを内側に向けたものでも良い。切断部１２５ａを内側に向けたことにより、この切断部１２５ａに回転清掃体１０４に絡み付いた糸状の塵埃を引っ掛け易くなり、より効率的に塵埃の除去作業を行うことができる。
【００３３】
また、塵埃除去手段１２０を吸口本体２０６に収納しているが、掃除機本体２０１に収納しても同様な効果が得られる。
【実施例２】
【００３４】
本実施例においては、吸口本体２０６の第２の接続管１０３に、塵埃除去手段１２０が収納部１２１に収納されているが、図５に示すように、吸口本体２０６上面側位置１２２や後方側位置１２３など掃除する際に邪魔にならない場所に設置しても同様の効果が得られる。
【００３５】
本実施例によると、塵埃除去手段を使用者が見てわかる場所に設置しているので、掃除中に本来の回転清掃体１０４のかき上げ効果が悪くなった時に、直ぐにどこでも除去作業ができる。
【００３６】
また、吸口本体２０６の外表面側に設置されているので、吸口本体２０６の大型化を回避でき、回転清掃体１０４の長手方向の長さを維持することができる。
【００３７】
このように、掃除中や掃除終了後において、面倒であり放置されがちだった塵埃の除去作業を容易に行うことができる。また、塵埃除去手段を吸口本体２０６の近傍に設けることにより、その作業の意識が高くなる。
【実施例３】
【００３８】
図６に本実施例による下ケース１０１の前方部の部分拡大図を示す。５０１は軸受押さえ部材であり、３０５は軸受押さえ部材５０１に回転可能に保持され、且つ、軸受押さえ部材５０１を吸口本体の下ケース１０１に着脱可能に保持させるロック部材である。
【００３９】
図７（ａ）（ｂ）に軸受押さえ部材を示す。軸受押さえ部材５０１には、カッター刃
５０３を出没させるスライド部５０２を内蔵しており、スリット状に切り欠いた溝に沿ってスライドすることができる。
【００４０】
掃除状態や収納時は、カッター刃５０３は軸受押さえ部材５０１の内部で固定されているので、安全上問題はない。万が一、掃除中にスライド部５０２が移動しカッター刃503が回転清掃体１０４に向かって突出したとしても、カッター刃５０３と回転清掃体１０４は干渉しない位置にあるので、回転清掃体１０４によってカッター刃５０３が破損したり、カッター刃５０３によって回転清掃体１０４の回転が停止することはない。
【００４１】
また、前記塵埃除去部５０２には金属等のカッター刃を備えているが、（ｃ）のように、スライド部５０２と切断部５０４をプラスチック材で構成し、さらに切断面を内側に向けたものでも良い。切断部５０４を内側に向けたことにより、この切断部５０４に、回転清掃体１０４に絡み付いた糸状の塵埃を引っ掛け易くなり、より効率的に塵埃の除去作業を行うことができる。
【００４２】
このように、回転清掃体１０４に絡み付いた塵埃を取り除く、スライド部を、前記回転清掃体を着脱する軸受押さえ部材５０１と兼用としたことにより、紛失や散逸を妨げることができる。さらに、加工費や材料費を低減することができる。
【実施例４】
【００４３】
図８に本実施例による回転清掃体６０１の斜視図を示す。６０２は筒状基体、３０８は清掃部材であり、刷毛の他、軟質のブレード状のものを用いて構成することができ、刷毛やブレードをそれぞれ単独で、或いは刷毛とブレードとを混在させて構成することができる。本実施例では刷毛で、線形の太いもの３０８と細いもの３０９をそれぞれ２条ずつで構成している。
【００４４】
また、３１０は清掃部材３０８を位置決めする清掃部材カバー、３１１，３１２は軸受を内蔵する軸受ユニットである。３１３は電動機１０５からの駆動力を伝達するプーリーで、プーリー３１３と筒状基体６０２とをシャフトにより嵌合して固定している。
【００４５】
７０１は塵埃除去手段であり、リング状に形成されている。図９に塵埃除去手段７０１の斜視図を示す。塵埃除去手段７０１は、リング状の内表面から軸中心に向かってカッター刃７０３とガイド７０２が突出している。カッター刃７０３とガイド７０２がそれぞれ複数設けられ、カッター刃７０３同士、及びガイド７０２同士が互いに軸中心に向かって対向するように配置されている。
【００４６】
図１０に回転清掃体６０１とリング状の塵埃除去手段７０１の断面図を示す。回転清掃体６０１の基部を構成する筒状基体６０２には、清掃部材３０８，３０９を挿入するための溝と、塵埃除去手段７０１のガイド７０２を挿入するための溝７０２ａと、カッター刃７０３の歯先を受ける溝７０２ｂが設けられている。溝７０２ａと溝７０２ｂは筒状基体６０２に螺旋状に形成されている。ガイド７０２はカッター刃７０３に比べ、リング状の内表面から軸中心に向かっての長さが長くなっている。このため、ガイド７０２は筒状基体６０２の溝７０２ａに深く入り込んでいる。一方、カッター刃７０３はガイド７０２に比べ、リング状の内表面から軸中心に向かっての長さが短くなっており、筒状基体６０２の外周に形成された浅い溝７０２ｂに接触するようになっている。
【００４７】
塵埃除去作業は、まず、回転清掃体６０１を吸口体から取り外して、回転清掃体６０１の外周に設けたリング状の塵埃除去手段７０１を回転清掃体６０１の軸方向（長手方向）に沿って摺動させる。塵埃除去手段７０１は、ガイド７０２が筒状基体６０２の螺旋状の溝７０２ａに案内されて回転清掃体６０１の軸方向（長手方向）に沿って摺動するので、カッター刃７０３が溝７０２ｂに接触しながら回転清掃体６０１の軸方向（長手方向）に沿って螺旋状に移動し糸状の塵埃を除去する。
【００４８】
本実施例によれば、簡単な構成で回転清掃体６０１に絡み付いた糸状の塵埃を除去することができる。また、回転清掃体６０１と塵埃除去手段７０１が一体になっているので、紛失を妨げることができる。
【００４９】
なお、掃除中は、塵埃除去手段７０１を回転清掃体６０１のどちらかの軸受ユニット部３１１，３１２付近に配置するため掃除の邪魔にならず、塵埃除去手段７０１を収納するスペースが必要ないので、吸口体の大型化を回避できる。
【００５０】
以上説明した各実施例では床移動型の掃除機について説明したが、本発明はこれに限定されるものではなく、アップライト式やスティック式の掃除機にも適用することができる。
【図面の簡単な説明】
【００５１】
【図１】本発明による吸口体の分解斜視図である。
【図２】本発明による電気掃除機の外観図である。
【図３】本発明による吸口体の下面図である。
【図４】本発明の別の塵埃除去手段である。
【図５】本発明の第２の実施例を示す上面図である。
【図６】下ケースの前方部分の下面図である。
【図７】本発明の第３の実施例を示す下面図である。
【図８】本発明の第４の実施例を示す斜視図である。
【図９】図７の塵埃除去手段の斜視図である。
【図１０】図７の塵埃除去手段である。
【符号の説明】
【００５２】
１０１  吸口体下ケース
１０４  回転清掃体
１２０，７０１  塵埃除去手段
１２１  収納部
２０１  掃除機本体
２０６  吸口本体
３０４，５０１  軸受押さえ部材
３０５  ロック部材
５０３  カッター刃
【図１】
2008259718.tif 000003
【図２】
2008259718.tif 000004
【図３】
2008259718.tif 000005
【図４】
2008259718.tif 000006
【図５】
2008259718.tif 000007
【図６】
2008259718.tif 000008
【図７】
2008259718.tif 000009
【図８】
2008259718.tif 000010
【図９】
2008259718.tif 000011
【図１０】
2008259718.tif 000012